(57)【要約】      （修正有）【課題】第一及び第二引戸の重なりを調整することなく、各引戸を閉じるこのできる引戸装置を提供する。【解決手段】第一及び第二引戸１，２は、下横枠体下端及び床面Ｚ間に床隙間δを空けて各レールに吊下支持して横枠体長手方向に移動自在にする。第一及び第二引戸は矩形枠体を有し、矩形枠体の下横枠体は下端に開口するガイド凹部を有する。ガイド凹部は矩形枠体の左右縦枠体の凹枠部に連通して構成する。第一引戸１はガイド体５１を有し、ガイド体のガイド支持部５４を第二引戸２のガイド凹部内に突出する。ガイド体は、第一及び第二引戸の一方又は両方の移動に伴って第二引戸のガイド凹部又は第二引戸の各凹枠部内に配置する。【選択図】図１５
0003190349.tif 000002
【実用新案登録請求の範囲】
【請求項１】
左右縦枠体、及び前記左右縦枠体間に配置される上下横枠体でなる矩形枠体を有し、縦枠体幅方向に並列される第一及び第二引戸と、平行に敷設され、前記下横枠体下端及び床面間に床隙間を空けて前記第一及び第二引戸を吊下支持する複数条のレールとを備え、前記第一及び第二引戸を前記各レールに沿って横枠体長手方向に移動自在とする引戸装置であって、
前記各縦枠体は、
断面矩形に形成され、縦枠体幅方向中央の凹枠部及び前記凹枠部の前記縦枠体幅方向両側の矩形空洞を有する一対の矩形枠部を一体形成し、前記凹枠部及び前記各矩形空洞を縦枠体長手方向に延在し、前記縦枠体上下端に開口して構成され、
前記下横枠体は、
横枠体幅方向中央で前記下横枠下端に開口され、前記横枠体長手方向に延在するガイド凹部を有し、前記ガイド凹部を前記横枠体長手方向にて前記各縦枠体の前記凹枠部に連通して構成され、
前記第一引戸は、
一方の前記縦枠体下端側に固定されるガイド体を有し、
前記ガイド体は、
一方の矩形空洞内に挿入して一方の前記縦枠体に固定され、前記床隙間内に突出するガイド固定部と、
前記ガイド固定部に連結され、前記床隙間内にて前記第二引戸に延在するガイド梁部と、
前記ガイド梁部に連結され、前記床隙間内から前記第二引戸の前記ガイド凹部内に突出するガイド支持部と、を備え、前記第一及び前記第二引戸の一方又は両方の移動に伴って、前記ガイド支持部を前記第二引戸の前記ガイド凹部内又は前記第二引戸の前記各凹枠部内に配置する
ことを特徴とする引戸装置。
【考案の詳細な説明】
【技術分野】
【０００１】
本考案は、複数の引戸をレールに吊下支持し、各引戸をレールに沿って移動する引戸装置に関する。
【背景技術】
【０００２】
引戸装置として、特許文献１は、上吊り式引戸装置を開示する。上吊り式引戸装置は、複数の引戸を並設し、ランナーを介して上部レールに吊下げる。各引戸は、床面に隙間を空けて吊下げられる。各引戸は、閉じる祭、上部レールに沿って走行される。
【先行技術文献】
【特許文献】
【０００３】
【特許文献１】特開２０１１−９９３０８号公報
【考案の概要】
【考案が解決しようとする課題】
【０００４】
しかし、特許文献１では、複数の引戸を閉じる際、各引戸を各レールに沿って走行して、各引戸の重なりを調整する必要がある。
【０００５】
本考案は、第一及び第二引戸の重なりを調整することなく、各引戸を閉じることのできる引戸装置を提供することである。
【課題を解決するための手段】
【０００６】
本考案に係る請求項１は、左右縦枠体、及び前記左右縦枠体間に配置される上下横枠体でなる矩形枠体を有し、縦枠体幅方向に並列される第一及び第二引戸と、前記下横枠体下端及び床面間に床隙間を空けて、前記第一及び第二引戸を吊下支持する複数条のレールとを備え、前記第一及び第二引戸を前記各レールに沿って横枠体長手方向に移動自在とする引戸装置であって、前記各縦枠体は、断面矩形に形成され、縦枠体幅方向中央の凹枠部及び前記凹枠部の前記縦枠体幅方向両側の矩形空洞を有する一対の矩形枠部を一体形成し、前記凹枠部及び前記各矩形空洞を縦枠体長手方向に延在し、前記縦枠体上下端に開口して構成され、前記下横枠体は、横枠体幅方向中央で前記下横枠体下端に開口され、前記横枠体長手方向に延在するガイド凹部を有し、前記ガイド凹部を前記横枠体長手方向にて前記各縦枠体の前記凹所枠部に連通して構成され、前記第一引戸は、一方の前記縦枠体に固定されるガイド体を有し、前記ガイド体は、一方の矩形空洞内に挿入して一方の前記縦枠体に固定され、前記床隙間内に突出するガイド固定部と、前記ガイド固定部に連結され、前記床隙間内にて前記第二引戸に延在するガイド梁部と、前記ガイド梁部に連結され、前記床隙間内から前記第二引戸の前記ガイド凹部内に突出するガイド支持部と、を備え、前記第一及び第二引戸の一方又は両方の移動に伴って、前記ガイド支持部を前記第二引戸の前記ガイド凹部内又は前記第二引戸の前記各凹枠部内に配置することを特徴とする引戸装置に関する。
【考案の効果】
【０００７】
本考案に係る請求項１では、第一及び第二引戸の一方又は両方を、相互に離間する横枠体長手方向に移動すると、第一引戸に固定されるガイド体のガイド支持部は第二引戸の一方の縦枠体の凹枠部内に配置され、続いて凹枠部に当接される。これにより、第一引戸のガイド支持部を第二引戸のガイド凹部から凹枠部に当接するまで第一及び第二引戸を移動するだけで、第一及び第二引戸を閉じる位置に配置することができる。
また、第一及び第二引戸の一方又は両方を閉じる位置から相互に接近する横枠体長手方向に移動すると、第一引戸のガイド体のガイド支持部は第二引戸の他の縦枠体の凹枠部に当接される。これにより、第一及び第二引戸を開く位置に配置することができる。
請求項１では、ガイド体のガイド固定部を第一引戸の縦枠体の一方の矩形空洞内に挿入して一方の矩形縦枠の矩形枠部に固定され、更にガイド支持部は、第一及び第二引戸の閉じる位置において、第二引戸の一方の凹枠部内に配置され凹枠部に当接されることから、第一及び第二引戸の縦枠体長手方向の重なりを小さくできる。また、第一及び第二引戸を開く位置においても、ガイド支持部は第二引戸の凹枠部に当接されることから、第一及び第二引戸の横枠体長手方向の重なりを大きくできる。
請求項１では、ガイド体は、ガイド固定部を第一引戸の一方の矩形枠部（矩形空洞）内に挿入して縦枠体に固定する。これにより、ガイド体を第一引戸外側に固定することなく、第一及び第二引戸の戸隙間を小さくでき、第一及び第二引戸を並設する方向（縦枠体幅方向）の寸法を小さくできる。
請求項１では、各縦枠体の凹枠部及び一対の矩形枠部を一体形成することで、縦枠体の縦枠体厚み寸法を小さくできる。
【図面の簡単な説明】
【０００８】
【図１】引戸装置を示す正面図である。
【図２】図２のＡ−Ａ矢視図である。
【図３】縦枠体を示す図であって、（ａ）は裏面図、（ｂ）は図３（ａ）のＢ−Ｂ矢視図である。
【図４】縦枠体を示す図であって、（ａ）は図３（ａ）のＣ−Ｃ矢視図、（ｂ）は図３（ｂ）のＤ−Ｄ矢視図（表面図）である。
【図５】横枠体を示す図であって、（ａ）は表面図、（ｂ）は図５（ａ）のＥ−Ｅ矢印図である。
【図６】横枠体を示す図であって、（ａ）は図５（ａ）のＦ−Ｆ矢視図、（ｂ）は図５（ｂ）のＧ−Ｇ矢視図である。
【図７】上下横枠体をパネル板上下端側に配置し、上下横枠体でパネル板を支持する正面図である。
【図８】図８のＨ−Ｈ矢視図である。
【図９】第一及び第二引戸を示す一部断面正面図である。
【図１０】図９のＩ−Ｉ一部断面矢視図である。
【図１１】第一及び第二引戸を示す図であって、（ａ）は図９のＪ−Ｊ矢視図、（ｂ）は図９のＫ−Ｋ断面図である。
【図１２】第一引戸及びガイド体を示す正面図である。
【図１３】図１２のＰ−Ｐ矢視図である。
【図１４】図１２のＱ−Ｑ断面図である。
【図１５】図２のＭ矢視一部断面拡大図である。
【図１６】第一及び第二引戸及びガイド体の関係を示す図であって、（ａ）は図１のＮ−Ｎ断面図（第一及び第二引戸の第一位置）、（ｂ）は第一及び第二引戸の第二位置の断面図である。
【考案を実施するための形態】
【０００９】
本考案に係る引戸装置について、図１乃至図１６を参照して説明する。
【００１０】
図１乃至図１６において、引戸装置Ｘは、例えば室内出入口を開閉し、又は室内に別空間（部屋）を区画するものに適用される。
引戸装置Ｘは、第一及び第二引戸１，２、及び複数条のレール３，４を備える。
【００１１】
第一及び第二引戸１，２は、パネル板５及び矩形枠体６を有する。パネル板５は、矩形に形成され、例えばガラスパネル板で構成される。矩形枠体６は、パネル板５外縁を支持する。矩形枠体６は、左右縦枠体７，８及び上下横枠体９，１０でなる。
第一及び第二引戸１，２は、縦枠体幅方向Ａ１に戸隙間σを空けて並設される。
【００１２】
複数条のレール３，４は、建物室内の天井Ｙに固定される。各レール３，４は、平行に敷設される。
各レール３，４は、矩形枠体６の下横枠体１０下端及び建物室内の床面Ｚ間に床隙間δを空けて、第一及び第二引戸１，２を吊下支持する。
【００１３】
引戸装置Ｘは、第一及び第二引戸１，２を各レール３，４に沿って横枠体長手方向Ｃ２に移動自在とする。なお、横枠体長手方向Ｃ１は、縦枠体幅方向Ａ１に垂直な方向である。
第一及び第二引戸１，２は、矩形枠体６の上横枠体９を各レール３，４内を走行するローラＲ，Ｒ，…に連結し、各レール３，４に吊下支持される。
これにより、第一及び第二引戸１，２は、独立して横枠体長手方向Ｃ２に移動自在となる。
【００１４】
＜縦枠体７，８＞
図３及び図４において、各縦枠体７，８は、断面矩形に形成される。各縦枠体７，８は、例えばアルミ合金等の金属を押出成形して製造される。
各縦枠体７，８は、凹枠部１１及び一対の矩形枠部１２，１３を一体形成してなる。
【００１５】
凹枠部１１は、縦枠体幅方向Ａ１中央に形成され、縦枠体厚さ方向Ｂ１一端に開口する。縦枠体厚さ方向Ｂ１は、縦枠体幅方向Ａ１に垂直な方向である。
凹枠部１１は、縦枠体長手方向Ｃ１に延在し、縦枠体７，８上下端に開口して構成される。なお、縦枠体長手方向Ｃ１は、縦枠幅方向Ａ１及び縦枠厚み方向Ｂ１に垂直な方向である。
【００１６】
各矩形枠部１２，１３は、矩形空洞１４，１５を有する。各矩形枠部１２，１３は、凹枠部１１の縦枠体幅方向Ａ１両側に配置される。
各矩形空洞１４，１５及び各矩形枠部１２，１３は、縦枠体長手方向Ｃ１に延在し、各矩形空洞１４，１５は縦枠体７，８上下端に開口する。
【００１７】
各縦枠体７，８は、複数の連結大径穴１６，１６，…及び複数の連結小径穴１７，１７，…を有する。
各連結大径穴１６，１６，…は、各矩形枠部１２，１３の二ヶ所に形成される。各連結大径穴１６，１６，は、縦枠体７，８上端及び下端から縦枠体長手方向Ｃ１に間隔αを隔てる位置に配置される。
各連結大径穴１６，１６，…は、縦枠体厚み方向Ｂ１で各矩形枠部１２，１３を貫通し、各矩形空洞１４，１５及び縦枠体厚み方向Ｂ１他端（凹枠部１１開口と反対端）に開口される。
各連結小径穴１７，１７，…は、各矩形枠部１２，１３の二ヶ所に形成される。各連結小径穴１７，１７，…は、各連結大径穴１６，１６，…と同心に配置され、縦枠体厚み方向Ｂ１で各矩形枠部１２，１３を貫通する。
各連結小径穴１７，１７，…は、各矩形空洞１４，１５及び縦枠体厚み方向Ｂ１一端（凹枠部１１開口側）に開口される。
【００１８】
各縦枠体７，８は、ゴムパッキン１８を有する。ゴムパッキン１８は、縦枠体７，８の凹枠部１１内に収納され、縦枠体長手方向Ｃ１に延在する。
【００１９】
＜横枠体９，１０＞
図５及び図６において、各横枠体９，１０は、断面矩形に形成される。各横枠体９，１０は、一対の横枠材２１，２２及び連結部材２３を備える。
【００２０】
各横枠材２１，２２は、アルミ合金等の金属を押出成形して、同一のＥ字に形成される。
各横枠材２１，２２は、厚み枠板２５及び複数の幅枠板２６，２７，２８を一体形成して構成される。各幅枠板２６，２７は、厚み枠材２５の横枠体厚み方向Ｂ２両端に連結され、横枠体幅方向Ａ２に延在する。幅枠板２８は、横枠体厚み方向Ｂ２において、各幅枠板２６，２７間に配置され、厚み枠板２５に連結される。幅枠板２８は横枠体幅方向Ａ２に延在する。
厚み枠板２５及び各幅枠板２６〜２８は、横枠体長手方向Ｃ２に延在される。
【００２１】
各横枠材２１，２２は、各幅枠材２６〜２８端を対峙して配置され、横枠体厚み方向Ｂ２に収納空所２９及び空所３０を区画する。収納空所２９は、各横枠材２１，２２の厚み枠板２５及び各幅枠板２７，２８で区画され、空所３０は各横枠材２１，２２の厚み枠板２５及び各幅枠板２６，２８で区画される。収納空所２９及び空所３０は、横枠体長手方向Ｃ２に延在し、横枠体９，１０左右端に開口される。
なお、横枠体厚み方向Ｂ２は、横枠体長手方向Ｃ１に垂直な方向であって、縦枠体長手方向Ｃ１と同方向である。
【００２２】
連結部材２３は、収納空所２９内に収納され、各横枠材２１，２２の各幅枠板２７，２８に固定される。連結部材２３は、横枠体長手方向Ｃ２に延在し、横枠体９，１０左右端間に配置される。
連結部材２３は、収納凹部３６及び複数の連結ビス穴３７，３８を有する。収納凹部３６は、横枠体幅方向Ａ２中央に形成され、各横枠材２１，２２の幅枠板２７，２７間にて横枠体厚み方向Ｂ２一端に開口する。なお、横枠体幅方向Ａ２は、横枠体厚み方向Ｂ２及び横枠体長手方向Ｃ２に垂直な方向であって、縦枠体幅方向Ａ１と同方向である。
各連結ビス穴３７，３８は、収納凹部３６の横枠体幅方向Ａ２両側に配置される。各連結ビス穴３７，３８は、横枠体長手方向Ｃ２に延在し、横枠体９，１０左右端に開口される。
各連結ビス穴３７，３８は、横枠体厚み方向Ｂ２他端（収納凹部３６開口と反対側）から横枠体厚み方向Ｂ２に間隔αを隔てて配置される。
【００２３】
各横枠体９，１０は、ガイド凹部３９を有する。ガイド凹部３９は、各横枠材２１，２２の幅枠板２６，２６及び空所２５で構成され、横枠幅方向Ａ２中央に形成される。
ガイド凹部３９は、各横枠材２１，２２の各幅枠板２６，２６間に凹部幅τを空けて横枠体厚み方向Ｂ２他端及び空所２５に開口する。ガイド凹部３９は横枠体長手方向Ｃ２に延在して、各縦枠体９，１０左右端に開口する。
【００２４】
各横枠体９，１０は、ゴムパッキン４０を有する。ゴムパッキン４０は、連結部材２３の収納凹部３６内に収納され、横枠体長手方向Ｃ２に延在する。
【００２５】
＜第一及び第二引戸１，２＞
第一及び第二引戸１，２は、図７乃至図１１に示すように、左右縦枠体７，８及び上下横枠体９，１０を矩形枠体６に組立て、矩形枠体６にてパネル板５外縁を支持して構成される。
【００２６】
先ず、上下横枠体９，１０は、図７及び図８に示すように、パネル板５の上下端側５ａ，５ｂに配置される。各横枠体９，１０は、収納凹部３６のゴムパッキン４０をパネル板５の上下端側５ａ，５ｂに対峙し、収納凹部３６内及びゴムパッキン４０内にパネル板５の上下端側５ａ，５ｂを挿入する。
これにより、各横枠体９，１０は、ゴムパッキン４０を介在してパネル板５の上下端側５ａ，５ｂ（上下縁）を支持する（図７及び図８参照）。
また、下横枠体１０において、ガイド凹部３９は下横枠体１０下端に開口される。
【００２７】
左右縦枠体７，８は、図９乃至図１１に示すように、パネル板５の左右端側５ｃ，５ｄに配置される。各縦枠体７，８は、凹枠部１１のゴムパッキン１８をパネル板５の左右端側５ｃ，５ｄに対峙し、凹枠部１１内及びゴムパッキン１８内にパネル板５の左右端側５ｃ，５ｄを挿入する。
これにより、各縦枠体７，８は、ゴムパッキン１８を介在してパネル体５の左右端５ｃ，５ｄ（左右縁）を支持する。
また、各縦枠体７，８は、各矩形枠部１２，１３を各横枠体９，１０左右端に当接し、各連結小径穴１７，１７，…を連結部材２３の各連結ビス穴３７，３８に対峙する。
【００２８】
続いて、ビスネジ４５，４５，…を各連結大径穴１６，１６，…から各矩形枠部１２，１３内に挿入する。各ビスネジ４５，４５，…は、各連結小径穴１７，１７，…を通して各連結ビス穴３７，３８に螺着される。
各ビスネジ４５，４５，…は、各矩形空洞１４，１５内で各矩形枠部１２，１３に当接され、各連結ビス穴３７，３８への螺着によって各縦枠体７，８及び各横枠体９，１０を締結して連結する。
【００２９】
これにより、第一及び第二引戸１，２は、各縦枠体７，８及び各横枠体９，１０によって矩形枠体６を構成し、パネル板５外縁を矩形枠体６（各縦枠体７，８及び各横枠体９，１０）で支持する。
パネル板５は、各凹枠部１１内及び収納凹部３６内にゴムパッキン１８，４０を介して支持される。
【００３０】
また、下横枠体１０において、ガイド凹部３９は、横枠体長手方向Ｃ２にて各縦枠体７，８の凹枠部１１に連通して構成される［図１１（ａ）参照］。
なお、各縦枠体７，８の凹枠部１１は、ガイド凹部３９の一部を構成し、ガイド凹部３９は各凹枠部１１を含むことができる。ガイド凹部３９の凹部幅τは、各凹枠部１１の縦枠体幅方向Ａ１の幅寸法と同一にできる。
【００３１】
更に、パネル板５下端は、収納空所３６内のゴムパッキン４０で支持され、下横枠体１０の空所３０内（ガイド凹部３９内）に配置されない（図８参照）。
なお、各連結大径穴１６，１６，…は、蓋栓４６にて閉塞される。
【００３２】
以上構成の第一引戸１は、図１２乃至図１４に示すように、ガイド体５１を有する。ガイド体５１は、一方の縦枠体（例えば縦枠体８）に固定される。
ガイド体５１は、ガイド固定部５２、ガイド梁部５３及びガイド支持部５４を備えてなる。
【００３３】
縦枠体８（一方の縦枠体）において、ガイド固定部５２は、一方の矩形枠部（例えば、矩形枠部１３）内に挿入する。ガイド固定部５２は、複数のボルト５５，５５で縦枠体８に固定される。各ボルト５５，５５は、縦枠体幅方向Ａ１一端に配置され、縦枠体幅方向Ａ１にて矩形枠部１３及びガイド固定部５２に螺着され、ガイド固定部５２を縦枠体８の矩形枠部１３に固定する。
ガイド固定部５２は、縦枠体８下端（矩形空洞１５内）から所定量βだけ突出される。所定量βは、所定量β＜床隙間δとする。
【００３４】
ガイド梁部５３は、矩形空洞１５内から突出するガイド固定部１５端に連結される。ガイド梁部５３は、ガイド固定部５２に直交して、縦枠体幅方向Ａ１に延在する。ガイド梁部５３は、矩形枠部１２と反対側の縦枠体幅方向Ａ１に延在する。
【００３５】
ガイド支持部５４は、ガイド梁部５３端に連結される。ガイド支持部５４は、ガイド梁部５３に直交して、縦枠体長手方向Ｃ１に突出する。ガイド支持部５４は、縦枠体８上端に向けて突出される。
【００３６】
以上構成の第一及び第二引戸１，２は、図１及び図２に示すように、縦枠体幅方向Ａ１に戸隙間σを空けて並設され、下横枠体１０下端及び床面Ｚ間に床隙間δを空けて、各レール３，４に吊下支持される。
第一引戸１は、隣接する第二引戸２間に戸隙間σを配置して、縦枠体８の矩形枠部１３を第二引戸２に対峙する。
【００３７】
第一引戸１は、ガイド体５１を隣接する第二引戸２のガイド凹部３９内に挿入する。
ガイド体５１において、ガイド固定部５２は、図１５に示すように、縦枠体８下端（下横枠体１０下端）から所定量βだけ床隙間δ内に突出する。
ガイド梁部５２は、床隙間δ内に配置され、床隙間δ内にて第二引戸２に延在する。
ガイド支持部５４は、第二引戸２下端（下横枠体１０下端）に位置し、床隙間δ内から第二引戸２のガイド凹部３９内に突出される。ガイド支持部５４は、図１５に示すように、ガイド凹部３９に対して横枠体幅方向Ａ２両側に隙間γを空けてガイド凹部３９内に挿入される。隙間γは、隙間γ＜戸隙間σとする。
【００３８】
図１及び図２において、引戸装置Ｘは、第一及び第二引戸１，２を第一位置Ｔ１にする。
第一位置Ｔ１は、例えば室内出入口（図示しない）を閉じる位置である。
【００３９】
第一位置Ｔ１では、ガイド体５１は、ガイド支持部５４を第二引戸２の左縦枠体７の凹枠部１１内に配置する［図１６（ａ）参照］。
ガイド支持部５４は、横枠体長手方向Ｃ１からゴムパッキン１８を介在して凹枠部１１に当接される。ガイド体５１のガイド梁部５３は、第二引戸２に接触することなく、床隙間δ内に配置される（図１５参照）。
これにより、第一及び第二引戸１，２は、縦枠体幅方向Ａ１にて第一引戸１の右縦枠体８及び第二引戸２の左縦枠体７を重ねて並設される。
このように、第一位置Ｔ１において、引戸装置Ｘは、第一及び第二引戸１，２の横枠体長手方向ＡＣ２の重なりを最小にでき、第一及び第二引戸１，２で構成される閉面積について横枠体長手方向Ｃ１の寸法を大きくすることができる。
【００４０】
また、第一位置Ｔ１において、ガイド支持部５４は、第二引戸２の左縦枠体７の凹枠部１１に当接されるので、第一引戸１は第二引戸２に対し、離間する横枠体長手方向Ｃ２［図１６（ａ）の矢印Ｖ方向］に移動できず、第一位置Ｔ１に保持される。第二引戸２も同様に、第一引戸１に対し、離間する横枠体長手方向［図１６（ａ）の矢印Ｗ方向］に移動できない。
【００４１】
更に、第一及び第二引戸１，２の一方（例えば、第一引戸１）を、第二引戸２から離間する横枠体長手方向Ｃ２に移動することで、他方の引戸（例えば第二引戸２）もガイド体５１及び凹枠部１１を介在して同方向に移動できる。
【００４２】
続いて、第一及び第二引戸１，２の一方又は両方を、第一位置Ｔ１から相互に接近する横枠体長手方向Ｃ２に移動する。
ガイド体５１のガイド支持部５４は、第一、第二引戸１，２の移動に伴って、第二引戸２の左縦枠体７の凹枠部１１からガイド凹部３９内に配置される。
【００４３】
更に、第一及び第二引戸１，２を接近する横枠体長手方向Ｃ２に移動すると、引戸装置１は、第一及び第二引戸１，２を第一位置Ｔ１から第二位置Ｔ２にする。
第二位置Ｔ２は、例えば室内出入口（図示しない）を開く位置である。
【００４４】
第二位置Ｔ２では、ガイド体５１は、ガイド支持部５４を第二引戸２のガイド凹部３９から右縦枠体８の凹枠部１１内に配置する［図１６（ｂ）参照］。
ガイド支持部５４は、横枠体長手方向Ｃ２からゴムパッキン１８を介在して凹枠部１１に当接される。ガイド体５１のガイド梁部５３は、第二引戸２に接触することなく、床隙間δ内に配置される。
これにより、第一及び第二引戸１，２は、横枠体長手方向Ｃ２にて凹枠部１１厚みを除く、全体にわたって重ね配置される。
このように、第二位置Ｔ２において、引戸装置Ｘは、第一及び第二引戸１，２の縦枠体長手方向Ｃ２の重なりを最大にでき、第一及び第二引戸１，２の重なりで開口される開面積について横枠体長手方向Ｃ２の寸法を大きくすることができる。
【００４５】
また、第二位置Ｔ２では、ガイド支持部５４は、第二引戸２の縦枠体８の凹枠部１１に当接されるので、第一引戸１は第二引戸２に対し、ガイド支持部５４が凹枠部１１に当接する横枠体長手方向［図１６（ｂ）の矢印Ｗ］に移動できず、第二引戸２は第一引戸１に対し、ガイド支持部５４が凹枠部１１から離間する横枠体長手方向［図１６（ｂ）の矢印Ｖ方向］に移動できず、第二位置Ｔ２に保持される。
第一引戸１を、図１６（ｂ）の矢印Ｗ方向に移動することで、第二引戸２もガイド体５１及び凹枠部１１を介して同方向に移動できる。
第二引戸２を、図１６（ｂ）の矢印Ｖ方向に移動することで、第一引戸１もガイド体５１及び凹枠部１１を介して同時に同方向に移動できる。
【００４６】
また、第一及び第二引戸１，２の一方又は両方を、第二位置Ｔ２から相互に離間する横枠体長手方向Ｃ２に移動することで、引戸装置１は第一及び第二引戸１，２を第一位置Ｔ１にする。
ガイド体５１のガイド支持部５４は、第一、第二引戸１，２の移動に伴って、第二引戸２の縦枠体８の凹枠部１１からガイド凹部３９内に配置され、更に、第一位置Ｔ１において第二引戸２のガイド凹部３９から縦枠体７の凹枠部１１内に配置される（図１６参照）。
【００４７】
このように、引戸装置Ｘは、第一及び第二引戸１，２の一方又は両方を移動して、ガイド体５１のガイド支持部５４及び各凹枠部１１を当接することで、第一及び第二引戸１，２を第一又は第二位置Ｔ１，Ｔ２（閉じる位置又は開く位置）に配置できる。
【００４８】
引戸装置１では、第一及び第二引戸１，２の横振れによる第一及び第二引戸の接触を防止できる。なお、第一及び第二引戸１，２の横振れは、縦枠体幅方向Ａ１の揺れである。
各引戸１，２の横揺れに応じて、ガイド体５１のガイド支持部５４は、ガイド凹部３９を構成する各横枠材２１，２２の幅枠板２６に接触する（図１５参照）。
図１５において、隙間γを戸隙間σより小さく、特にボルト５５の頭部厚さを差引いた値よりも小さくすると、第一及び第二引戸１，２が互いに接触する前に、ガイド支持部５４が横枠体２１，２２の幅枠板２６に当接する。
これにより、ガイド体５１は、第一及び第二引戸１，２の横揺れによる接触を防止できる。
【００４９】
更に、引戸装置１は、アルミ合金を押出成形して、各縦枠体７，８の凹枠部１１及び一対の矩形枠部１２を一体形成することで、縦枠体７，８の縦枠体厚み寸法β２を最小にできる（図３及び図９参照）。
各縦枠体７，８は、例えば、縦枠体幅寸法β１＝３６ｍｍについて、縦枠体厚み寸法β＝１２ｍｍにできる（図３及び図９参照）。
【００５０】
引戸装置Ｘでは、複数の第一引戸１，１，…、及び複数の第二引戸２，２，…を縦枠体幅方向Ａ１に戸隙間σを空けて並設する構成を採用できる。各第一引戸１，１，…及び各第二引戸２，２，…は、縦枠体幅方向Ａ１に交互に配置する。
【００５１】
引戸装置Ｘでは、矩形枠部１３下端及びガイド固定部５２を溶接して縦枠体８に固定することで、ボルト５５，５５，…を除く構成を採用できる。
【産業上の利用可能性】
【００５２】
本考案は、複数の引戸にて室内の出入口等を開閉する引戸装置に最適である。
【符号の説明】
【００５３】
Ｘ  引戸装置
Ｚ  床面
１  第一引戸
２  第二引戸
３  レール
４  レール
６  矩形枠体
７  左縦枠体
８  右縦枠体
９  上横枠体
１０  下横枠体
１１  凹枠部
１２  矩形枠部
１３  矩形枠部
１４  矩形空洞
１５  矩形空洞
３９  ガイド凹部
５１  ガイド体
５２  ガイド固定部
５３  ガイド梁部
５４  ガイド支持部
σ  戸隙間
δ  床隙間
【図１】
0003190349.tif 000003
【図２】
0003190349.tif 000004
【図３】
0003190349.tif 000005
【図４】
0003190349.tif 000006
【図５】
0003190349.tif 000007
【図６】
0003190349.tif 000008
【図７】
0003190349.tif 000009
【図８】
0003190349.tif 000010
【図９】
0003190349.tif 000011
【図１０】
0003190349.tif 000012
【図１１】
0003190349.tif 000013
【図１２】
0003190349.tif 000014
【図１３】
0003190349.tif 000015
【図１４】
0003190349.tif 000016
【図１５】
0003190349.tif 000017
【図１６】
0003190349.tif 000018